(57)【特許請求の範囲】
【請求項１】
棒状化粧料を収容する筒体と、
前記筒体と軸線方向に移動不能且つ軸線周りに回転可能に係合する容器本体と、
前記筒体を覆い隠すように前記容器本体と着脱自在に係合するキャップと、
先端に前記棒状化粧料を支持すると共に外周部に雄螺子を備え前記筒体内を軸線方向に移動可能且つ前記筒体と軸線周りに回転不能な移動体と、
前記筒体内に配置され当該筒体に軸線方向に移動不能且つ軸線周りに回転可能とされ内周部に前記雄螺子と螺合する雌螺子を備えた螺子筒と、
前記螺子筒と同期回転可能に係合する第１係合部、前記筒体と軸線周りに回転不能に係合する第２係合部、及び前記第２係合部が初期位置に位置するときにオフとなり前記第２係合部の前記初期位置からの回転時にオンとなるスイッチを備え前記スイッチがオンとなると前記第１係合部を回転駆動させるモータを有し、前記容器本体内に軸線方向に移動不能且つ軸線周りに回転可能に収容されたモータユニットと、を備え、
前記筒体の前記容器本体に対する初期位置から一方向への相対回転により、前記第２係合部が初期位置から前記一方向に回転して前記スイッチがオンとなり、前記モータが前記第１係合部を回転駆動させ、前記第１係合部と前記螺子筒が同期回転することによって、前記螺子筒の前記雌螺子及び前記移動体の前記雄螺子より構成される螺合部が働いて前記移動体が繰り出し方向に移動し、
前記筒体の前記容器本体に対する初期位置から他方向への相対回転により、前記第２係合部が初期位置から前記他方向に回転して前記スイッチがオンとなり、前記モータが前記第１係合部を反対方向に回転駆動させ、前記第１係合部と前記螺子筒が同期回転することによって、前記螺合部が働いて前記移動体が繰り戻し方向に移動することを特徴とする棒状化粧料電動繰出容器。
【請求項２】
前記第２係合部をその初期位置に位置させるように付勢する付勢部材を備えたことを特徴とする請求項１記載の棒状化粧料電動繰出容器。
【発明の詳細な説明】
【技術分野】
【０００１】
本発明は、棒状化粧料を電動で繰り出し／繰り戻しする棒状化粧料電動繰出容器に関する。
【背景技術】
【０００２】
従来、口紅等の棒状化粧料を収容した容器や、液状化粧料を収容したボトルタイプのマスカラ容器において、モータを使用したものが知られている。棒状化粧料を収容した容器の場合は、モータの回転駆動に伴い移動体が軸線方向に移動し、これにより、棒状化粧料の繰り出し／繰り戻しをすることができるというものである。また、ボトルタイプのマスカラ容器の場合は、以下の特許文献１に記載のように、ハンドル内に収容されているモータによってブラシヘッド及びマスカラブラシを回転させ、この自動回転しているマスカラブラシを睫毛にあてがうことで、マスカラ液の塗布を手際良く行うことができるというものである。
【０００３】
このような容器にあっては、モータを駆動するためのスイッチが、特許文献１に記載のように、容器の外面である外側に設けられており、棒状化粧料を収容した容器にあっては、通常、容器の後端部に周方向に回転可能に設けられる。
【先行技術文献】
【特許文献】
【０００４】
【特許文献１】特開２００５−９５５３１号公報
【発明の概要】
【発明が解決しようとする課題】
【０００５】
ところで、このような棒状化粧料を自動で繰り出す容器において、容器の外側にスイッチが設けられている場合、当該容器をハンドバッグ等に入れて持ち運んだとき等に、使用者の意図に反してスイッチがオンとなってしまい、モータが勝手に駆動し、棒状化粧料がキャップの中で繰り出されて潰れてしまうといった問題が生じる。
【０００６】
そこで、本発明は、使用者の意図に反してモータが勝手に駆動するような事態の発生を回避できる棒状化粧料電動繰出容器を提供することを目的とする。
【課題を解決するための手段】
【０００７】
本発明による棒状化粧料電動繰出容器は、棒状化粧料を収容する筒体と、筒体と軸線方向に移動不能且つ軸線周りに回転可能に係合する容器本体と、筒体を覆い隠すように容器本体と着脱自在に係合するキャップと、先端に棒状化粧料を支持すると共に外周部に雄螺子を備え筒体内を軸線方向に移動可能且つ筒体と軸線周りに回転不能な移動体と、筒体内に配置され当該筒体に軸線方向に移動不能且つ軸線周りに回転可能とされ内周部に雄螺子と螺合する雌螺子を備えた螺子筒と、螺子筒と同期回転可能に係合する第１係合部、筒体と軸線周りに回転不能に係合する第２係合部、及び第２係合部が初期位置に位置するときにオフとなり第２係合部の初期位置からの回転時にオンとなるスイッチを備えスイッチがオンとなると第１係合部を回転駆動させるモータを有し、容器本体内に軸線方向に移動不能且つ軸線周りに回転可能に収容されたモータユニットと、を備え、筒体の容器本体に対する初期位置から一方向への相対回転により、第２係合部が初期位置から一方向に回転してスイッチがオンとなり、モータが第１係合部を回転駆動させ、第１係合部と螺子筒が同期回転することによって、螺子筒の雌螺子及び移動体の雄螺子より構成される螺合部が働いて移動体が繰り出し方向に移動し、筒体の容器本体に対する初期位置から他方向への相対回転により、第２係合部が初期位置から他方向に回転してスイッチがオンとなり、モータが第１係合部を反対方向に回転駆動させ、第１係合部と螺子筒が同期回転することによって、螺合部が働いて移動体が繰り戻し方向に移動することを特徴とする。
【０００８】
このような棒状化粧料電動繰出容器によれば、キャップを容器本体から外し、筒体を容器本体に対して軸線周りに回転させると、モータユニットの第２係合部が初期位置から回転してモータが駆動し、このモータの駆動に伴い、モータユニットの第１係合部と螺子筒が同期回転し、螺合部が働いて移動体が軸線方向に移動し、これによって棒状化粧料の繰り出し／繰り戻しが行われる。そして、使用しないときは、キャップが容器本体に取り付けられ、筒体がキャップに覆われた状態となり、筒体を容器本体に対して回転することができなくなる。従って、不使用時には筒体が回転せず、使用者の意図に反して勝手にモータが駆動する事態の発生を回避することができる。
【０００９】
ここで、第２係合部をその初期位置に位置させるように付勢する付勢部材を備えた場合、棒状化粧料を繰り出し又は繰り戻している際に使用者が筒体又は容器本体から手を放すと付勢部材の付勢力により自動的に筒体が初期位置に戻り、スイッチがオフとなる。その結果、不要な棒状化粧料の繰り出し／繰り戻しを防止することが可能となり、操作性を向上させることができる。
【発明の効果】
【００１０】
このように本発明によれば、使用者の意図に反してモータが勝手に駆動するような事態の発生を回避できる。
【図面の簡単な説明】
【００１１】
【図１】本実施形態に係る棒状化粧料電動繰出容器の外観を示す斜視図である。
【図２】本実施形態に係る棒状化粧料電動繰出容器を示す縦断面図である。
【図３】図２の状態からキャップを取り外し棒状化粧料を繰り出した状態を示す断面斜視図である。
【図４】図１〜図３中の筒体を示す断面斜視図である。
【図５】図１〜図３中の容器本体を示す断面斜視図である。
【図６】図２及び図３中の螺子筒を示す断面斜視図である。
【図７】図２中のモータユニット及び尾栓を前方から見た斜視図である。
【図８】図７中の尾栓を示す斜視図である。
【図９】図７中のモータユニットを後方から見た斜視図である。
【発明を実施するための形態】
【００１２】
以下、本発明による棒状化粧料電動繰出容器の好適な実施形態について図１〜図９を参照しながら説明する。なお、各図において、同一の要素には同一の符号を付し、重複する説明は省略する。
【００１３】
図１は、本実施形態に係る棒状化粧料電動繰出容器の外観を示す斜視図、図２は、棒状化粧料電動繰出容器の縦断面図、図３は、キャップを取り外し棒状化粧料を繰り出した状態を示す断面斜視図、図４〜図６は、筒体、容器本体、螺子筒の各断面斜視図、図７は、モータユニット及び尾栓を前方から見た斜視図、図８は、尾栓を前方から見た斜視図、図９は、モータユニットを後方から見た斜視図である。本実施形態の棒状化粧料電動繰出容器は、例えば、アイライナー、アイブロー、リップライナー、コンシーラー等を始めとした種々の棒状化粧料を収容し、使用者が必要に応じて適宜出没可能とするものである。
【００１４】
図１に示すように、棒状化粧料電動繰出容器１００は、全体形状が筆記具の如き細長い丸棒状（スティック状）を成し良好な外観を呈するもので、容器前部を構成する筒体１と、容器後部を構成する容器本体２と、を外形構成として具備し、容器本体２にキャップ６が着脱自在に装着される。そして、筒体１及び容器本体２内には、図２及び図３に示すように、棒状化粧料Ｍと、これを支持する移動体３と、移動体３と螺合部を構成する螺子筒４と、螺子筒４の外周を覆うように設けられる緩衝部材としてのバネ部材７と、分解時に螺子筒４の後方への抜けを防止するための固定リング９と、螺子筒４を回転駆動させるためのモータユニット１０とが収容される。また、容器本体２の後端部には、尾栓５が装着される。
【００１５】
筒体１は、図２〜図４に示すように、軸線方向の中程の外周面に段差部１ａを有する段付き円筒状に構成され、この段差部１ａにより後側の小径となる円筒部が、容器本体２に挿入される挿入部１ｂとされている。また、筒体１には、その挿入部１ｂの外周面に容器本体２と軸線方向に係合するための環状突部１ｃが設けられる。
【００１６】
筒体１には、その後端部内周面に、周方向に多数の凹凸部が並設されて当該凹凸部が軸線方向に所定長延びて形成されるローレット１ｄを有している。このローレット１ｄは、モータユニット１０の後述する筒体係合部１０ａ（第２係合部）を回転方向に係合するためのものである。また、筒体１の内周面におけるローレット１ｄの前側部分には、固定リング９を軸線方向に係合するための凸部１ｉが設けられる。
【００１７】
また、筒体１には、図３及び図４に示すように、筒体１の内周面の軸線方向中央部付近に、後側が大径となるように凹設した段差部１ｐが設けられる。この段差部１ｐは、バネ部材７の前端の前方移動を阻止し挟み込むためのものである。また、筒体１の内周面における段差部１ｐと後端との間の略中央には、螺子筒４の後述する鍔部４ｂの軸線方向前側への移動を阻止すべく係合する段差部１ｑが設けられる。
【００１８】
図２〜図４に示すように、筒体１の軸線方向に貫通する筒孔は、その前半部が棒状化粧料Ｍを収容し摺動可能とする棒状化粧料孔１ｅとされ、この棒状化粧料孔１ｅに続く筒孔が、螺子筒４を収容するための孔とされている。また、筒体１には、棒状化粧料孔１ｅの先端近傍から続く移動体３の軸線方向の移動範囲に亘って当該棒状化粧料孔１ｅの周面の複数個所（例えば、四等配の位置）に、移動体３の後述する支持片３ｅを収容し摺動可能とする支持片溝１ｆが連設され、これらの棒状化粧料孔１ｅ及び支持片溝１ｆにより、棒状化粧料Ｍ及び支持片３ｅが摺動する進退孔１ｇが構成されている。
【００１９】
容器本体２は、図２、図３及び図５に示すように、軸線方向の先端側の外周面に段差部２ｐを有する段付き円筒状に構成され、段差部２ｐより前側の小径となる円筒部２ｑが、キャップ６が外挿されるキャップ装着部とされている。この容器本体２の円筒部２ｑの外周面には、キャップ６を軸線方向に係合するための環状凸凹部（凸凹部が先端側からこの順に軸線方向に並ぶもの）２ｃが設けられている。
【００２０】
容器本体２の後端側の内周面には、尾栓５を容器本体２に軸線方向に係合するための環状凹凸部（凹凸部が先端側からこの順に軸線方向に並ぶもの）２ａが軸線方向に並設されている。また、容器本体２の環状凹凸部２ａより前側の内周面には、周方向に多数の凹凸部が並設されて当該凹凸部が軸線方向に所定長延びて形成されるローレット２ｂが設けられる。このローレット２ｂは、尾栓５を回転方向に係合するためのものである。また、容器本体２の段差部２ｐ辺りの内周面には、筒体１の環状突部１ｃを軸線方向に係合するための環状凸部２ｄが設けられる。
【００２１】
そして、容器本体２に対して、筒体１の挿入部１ｂが内挿され、容器本体２の先端面に筒体１の段差部１ａが突き当てられ、容器本体２の内周面の環状凸部２ｄを筒体１の外周面の環状突部１ｃが乗り越え当該環状突部１ｃと軸線方向に係合することにより、容器本体２に対して筒体１が軸線方向に移動不能且つ軸線周りに回転可能に装着される。
【００２２】
移動体３は、図２及び図３に示すように、棒状化粧料Ｍの後端部を支持するための支持部３ａと、この支持部３ａの後側に位置する軸体部３ｂと、を備えている。軸体部３ｂは、軸線方向に延在する軸体であり、当該軸体部３ｂの後端外周面には、螺合部の一方を構成する雄螺子である一対の螺合突起３ｃが設けられている（図２参照）。支持部３ａは、その外形が棒状化粧料Ｍの外形に略一致し棒状化粧料Ｍの後端面を突き当てるための基部３ｄと、この基部３ｄにおける外周面の周方向の複数位置（ここでは四等配の位置）に先端側に向かって突出するように設けられ、基部３ｄに突き当てられた棒状化粧料Ｍの後端部を相互間に挟んで支持する支持片３ｅと、を備えている。
【００２３】
移動体３は、その基部３ｄが筒体１の棒状化粧料孔１ｅに進入すると共にその支持片３ｅが筒体１の支持片溝１ｆに進入するようにして、進退孔１ｇに内挿されている。従って、移動体３の支持片３ｅが進入する支持片溝１ｆが、移動体３の回り止めとされて移動体３を軸線周りに回転不能且つ軸線方向に移動可能に係合すると共に、支持片溝１ｆの先端面１ｈが、移動体３の支持片３ｅの先端面が突き当たる移動体３の前進限とされている。また、図２に示すように、移動体３の基部３ｄの後端面が螺子筒４の前端に接触した状態が移動体３の後退限とされている。
【００２４】
螺子筒４は、図２及び図６に示すように、略円筒状に構成され、その内周面に、軸線方向に延びるように、移動体３の螺合突起３ｃと螺合する雌螺子４ａが設けられる。この雌螺子４ａは、螺合部の他方を構成する。また、螺子筒４の外周面の軸線方向の中央部付近には、バネ部材７の後端の後方移動を阻止し挟み込むと共に筒体１の段差部１ｑ（図３参照）に軸線方向に係合するための鍔部４ｂが設けられる。また、螺子筒４の後端部の内周面には、軸線方向に延びる突条４ｃが周方向に複数並設されている。これらの突条４ｃは、モータユニット１０の後述する螺子筒係合部１０ｂ（第１係合部）を同期回転可能に係合するためのものである。
【００２５】
そして、螺子筒４は、筒体１に内挿され、その鍔部４ｂが筒体１の段差部１ｑに軸線方向に係合することで、筒体１に軸線周りに回転可能とされ、また、このような状態にあって、螺子筒４内に移動体３の軸体部３ｂが進入し、螺子筒４の内周面の雌螺子４ａに、移動体３の外周面の螺合突起３ｃが螺合する状態とされている。
【００２６】
固定リング９は、図２に示すように、その外周面に、凸部１ｉに軸線方向に係合するための環状凹部９ａが軸線方向に離間して並設されている。
【００２７】
そして、固定リング９は、筒体１に内挿され、その環状凹部９ａが筒体１の内周面の凸部１ｉに軸線方向に係合することにより、筒体１に軸線方向に移動不能に装着される。この固定リング９により、例えば容器本体２の内部に収容されたモータユニット１０を交換するときに、尾栓５を外した際、螺子筒４及びバネ部材７が意図せず容器本体２の後端の開口から後方へ脱落しないようになっている。なお、環状凹部９ａが軸線方向に２個設けられているのは、組立時にいずれを前にして内挿しても組み立てられるようにするためである。
【００２８】
バネ部材７は環状コイルバネであり、図２及び図３に示すように、螺子筒４の外周を囲繞するように設けられ、筒体１の段差部１ｐの後端面と、螺子筒４の鍔部４ｂの前面の間に挟み込まれている。このバネ部材７は、容器落下時等の外力作用時に、筒体１及び容器本体２の内部に伝わる衝撃を緩和し、棒状化粧料Ｍを保護する機能を有する。なお、このバネ部材７は無くても良い。
【００２９】
モータユニット１０は、図３、図７及び図９に示すように、軸線方向に延びる円筒状の筐体１０ｓを有している。このモータユニット１０には、筐体１０ｓの前端面の外周側に円環状に突出する筒体係合部１０ａが設けられる。この筒体係合部１０ａは、その外周面に、軸線方向に所定長延びる突条１０ｄを周方向に複数個所（ここでは八等配の位置）有する。これらの突条１０ｄは、筒体１のローレット１ｄを回転方向に係合するためのものである。
【００３０】
また、モータユニット１０の筒体係合部１０ａの内側には、図７に示すように、前方に露出して螺子筒係合部１０ｂが設けられる。この螺子筒係合部１０ｂは、モータユニット１０の出力ギヤであり、螺子筒４の突条４ｃを同期回転可能に係合するためのものである。
【００３１】
また、モータユニット１０は、図２に示すように、筐体１０ｓ内部に、電池１０ｅ、モータ１０ｆ及び減速ギヤ１０ｇを備え、電池１０ｅの電力によりモータ１０ｆが回転駆動し、その回転駆動力が減速ギヤ１０ｇを介して、螺子筒係合部１０ｂに伝達され、螺子筒係合部１０ｂが回転する。なお、図２では、電池１０ｅが２個設けられているが、必ずしも２個でなくてもよい。
【００３２】
また、モータユニット１０の後端部には、図９に示すように、その後端中央部から後方に突出する軸部１０ｈが設けられ、この軸部１０ｈには捩りコイルバネ１０ｉが巻回されている。捩りコイルバネ１０ｉの一方の端部は径方向に延び、その先端が後方に折り曲げられて端子１０ｃとされている。また、モータユニット１０の後端面には、内部から後方に導線１０ｐ，１０ｑ，１０ｒが延出している。そして、モータユニット１０の後端面において、端子１０ｃを周方向から挟む一方側に、導線１０ｒに接続される第１接触導通部１０ｋが、端子１０ｃを周方向から挟む他方側に、導線１０ｐに接続される第２接触導通部１０ｊが、それぞれ設けられ、さらに、捩りコイルバネ１０ｉの他方の端部には導線１０ｑが接続されている。第１接触導通部１０ｋ及び第２接触導通部１０ｊは、筐体１０ｓ及び筒体係合部１０ａと一体回転するようになっている。
【００３３】
捩りコイルバネ１０ｉは、その端子１０ｃが、第１接触導通部１０ｋと第２接触導通部１０ｊの間であって第１接触導通部１０ｋ又は第２接触導通部１０ｊのいずれにも接触しない初期位置に位置するように、筐体１０ｓ及び筒体係合部１０ａを付勢する付勢部材として機能する。
【００３４】
また、上記の導線１０ｐ，１０ｑ，１０ｒは、いずれも筐体１０ｓ内部において電池１０ｅ及びモータ１０ｆに電気的に接続されており、端子１０ｃ、第１接触導通部１０ｋ及び第２接触導通部１０ｊにより、モータ１０ｆを駆動させるためのスイッチが構成されている。このスイッチは、端子１０ｃが第１接触導通部１０ｋ又は第２接触導通部１０ｊのいずれにも接触していない初期位置の状態でオフとされ、第１接触導通部１０ｋ又は第２接触導通部１０ｊのいずれかに接触したときにオンとされる。
【００３５】
そして、モータユニット１０は、容器本体２内に内挿され、図２に示すように、その前端部において、筒体係合部１０ａの突条１０ｄが筒体１のローレット１ｄと回転方向に係合することにより、その筒体係合部１０ａが筒体１と軸線周りに回転不能に係合されると共に、螺子筒係合部１０ｂが螺子筒４の突条４ｃと回転方向に係合することにより、その螺子筒係合部１０ｂが螺子筒４と同期回転可能に係合される。また、捩りコイルバネ１０ｉが筐体１０ｓを介して筒体係合部１０ａを付勢することにより、筒体１も、容器本体２に対して初期位置に位置するように付勢される。
【００３６】
尾栓５は、図７及び図８に示すように、有底円筒状に構成され、その後端部に鍔部５ａを有する。この鍔部５ａより前側の外周面には、容器本体２の環状凹凸部２ａと軸線方向に係合するための環状凸凹部５ｂが設けられ、その更に前側の外周面には、軸線方向に所定長延びる突条５ｃが周方向に複数個所（ここでは四等配の位置）に設けられる。この突条５ｃは、容器本体２のローレット２ｂを回転方向に係合するためのものである。また、尾栓５は、その前端側の内周面に、当該内周面に沿って内側に張り出す環状張出部５ｆを備え、この環状張出部５ｆに、前方に開口される孔部５ｄを有する。孔部５ｄは、モータユニット１０の端子１０ｃを挿入するためのものである。
【００３７】
そして、尾栓５は、容器本体２の後端の開口から押し込まれ、図２に示すように、その突条５ｃがローレット２ｂに回転方向に係合することにより、容器本体２に対して軸線周りに回転不能とされると共に、環状凸凹部５ｂが環状凹凸部２ａに軸線方向に係合することにより、容器本体２に対して軸線方向に移動不能とされて、容器本体２に装着される。
【００３８】
この状態で、尾栓５の孔部５ｄにモータユニット１０の端子１０ｃが挿入され、孔部５ｄが端子１０ｃを回転方向に保持することにより、尾栓５に対して、モータユニット１０の端子１０ｃが回転不能とされる。そして、尾栓５が容器本体２に装着されることで、モータユニット１０は、容器本体２内に軸線方向に移動不能且つ回転可能に収容された状態となる。
【００３９】
また、尾栓５は、パッキン８を介して容器本体２に装着され、このパッキン８により、筒体１及び容器本体２内の気密性が高められる。
【００４０】
キャップ６は、図１及び図２に示すように、有底円筒状に構成される。このキャップ６は、その開放端側の内周面に、容器本体２の環状凸凹部２ｃに軸線方向に係合するための環状凸部６ａ（図２参照）を備える。そして、キャップ６は、筒体１を覆い隠すようにして容器本体２の円筒部２ｑに外挿されて段差部２ｐに突き当てられることで、その環状凸部６ａが環状凸凹部２ｃの凸部を乗り越えて凹部に進入して軸線方向に係合し、容器本体２に着脱自在に装着される。
【００４１】
以上のように構成される棒状化粧料電動繰出容器１００における作用について以下に説明する。まず、使用者が、棒状化粧料電動繰出容器１００を使用する際には、キャップ６を容器本体２から外し、図１に示すように、筒体１を露出させた状態にする。この状態においては、筒体１及び筒体係合部１０ａは初期位置に位置している。
【００４２】
この状態において、使用者が筒体１を容器本体２に対して一方向（ここでは時計周り）に回転させると、ローレット１ｄ及び筒体係合部１０ａ（突条１０ｄ）が時計周りに同期回転し、これに伴い、筐体１０ｓ、第１接触導通部１０ｋ及び第２接触導通部１０ｊが、端子１０ｃに対して、時計周りに回転する。そして、第１接触導通部１０ｋが端子１０ｃに接触してスイッチがオンとなり、モータ１０ｆが電池１０ｅから電力を得て駆動し、この駆動力が、減速ギヤ１０ｇを介して螺子筒係合部１０ｂに伝達され、螺子筒係合部１０ｂが第１方向（例えば時計周り）に回転する。この螺子筒係合部１０ｂの回転により、螺子筒４が第１方向に同期回転し、螺子筒４の雌螺子４ａ及び移動体３の螺合突起３ｃより構成される螺合部が働いて移動体３が繰り出し方向に移動し（前進し）、棒状化粧料Ｍが進退孔１ｇの先端から出現する。
【００４３】
そして、使用者が筒体１から手を放すと、捩りコイルバネ１０ｉの付勢力により、筒体１及び筒体係合部１０ａが初期位置に戻り、第１接触導通部１０ｋが端子１０ｃから離れてスイッチがオフとなる。これに伴い、筒体１も自動的に初期位置に戻り、これにより、棒状化粧料Ｍの前進が停止し、使用状態とされる。
【００４４】
そして、使用後に、使用者が、筒体１を容器本体２に対して他方向（ここでは反時計回り）に回転させると、ローレット１ｄ及び筒体係合部１０ａ（突条１０ｄ）が反時計周りに同期回転し、これに伴い、筐体１０ｓ、第１接触導通部１０ｋ及び第２接触導通部１０ｊが、端子１０ｃに対して、反時計回りに回転する。そして、第２接触導通部１０ｊが端子１０ｃに接触してスイッチがオンとなり、螺子筒係合部１０ｂが上記第１方向とは反対方向の第２方向（例えば反時計回り）に回転し、移動体３が繰り戻し方向に移動して、棒状化粧料Ｍが進退孔１ｇの先端から没入する。
【００４５】
以上のように、本実施形態の棒状化粧料電動繰出容器１００によれば、キャップ６を容器本体２から外し、筒体１を容器本体２に対して軸線周りに回転させると、モータユニット１０の筒体係合部１０ａが初期位置から回転してモータ１０ｆが駆動し、このモータ１０ｆの駆動に伴い、モータユニット１０の螺子筒係合部１０ｂと螺子筒４が同期回転し、螺合部３ｃ，４ａが働いて移動体３が軸線方向に移動し、これによって棒状化粧料Ｍの繰り出し／繰り戻しが行われる一方で、使用しないときは、キャップ６が容器本体２に取り付けられ、筒体１がキャップ６に覆われた状態となり、筒体１を容器本体２に対して回転させることができなくなるため、不使用時には筒体１が回転せず、使用者の意図に反して勝手にモータ１０ｆが駆動する事態の発生を確実に回避することができる。
【００４６】
また、筒体１及び筒体係合部１０ａをそれらの初期位置に位置させる捩りコイルバネ１０ｉを付勢部材として備えているため、棒状化粧料Ｍを繰り出し又は繰り戻している際に使用者が筒体１又は容器本体２から手を放すと捩りコイルバネ１０ｉの付勢力により自動的に筒体１及び筒体係合部１０ａが初期位置に戻り、スイッチがオフとなる結果、不要な棒状化粧料Ｍの繰り出し／繰り戻しを防止することができ、操作性を向上させることができる。
【００４７】
以上、本発明をその実施形態に基づき具体的に説明したが、本発明は上記実施形態に限定されるものではない。例えば、螺子筒４は、その鍔部４ｂが筒体１の段差部１ｑに係合することにより、筒体１に対して軸線方向に移動不能に係合する例を説明したが、係合の態様は上記に限られず、例えば螺子筒４をモータユニット１０の螺子筒係合部１０ｂに固着させて軸線方向に移動不能としてもよい。
【００４８】
また、上記実施形態では、モータユニット１０の後端部の態様として、捩りコイルバネ１０ｉが設けられ、この捩りコイルバネ１０ｉが端子１０ｃと付勢部材を兼用しているが、兼用とせず別途新たにコイルバネ等を設けて、これを付勢部材として使用してもよい。
【００４９】
また、上記実施形態では、固定リング９を螺子筒４及び移動体３の脱落防止のために設けているが、この固定リング９に限られず、例えば、筒体１の内周面に突起部を設けて、この突起部に鍔部４ｂを接触させることにより螺子筒４及び移動体３の脱落を防止するようにしてもよい。
【００５０】
また、上記実施形態では、バネ部材７を筒体１の段差部１ｐの後端面と螺子筒４の鍔部４ｂの前面の間に挟みこんでいるが、バネ部材７の両端部を支持してもよい。
【００５１】
また、雄螺子、雌螺子は、上記の態様に限定されず、間欠的に配される突起群又は螺旋状且つ間欠的に配される突起群のように螺子山と同様な働きをするものであれば良い。
【符号の説明】
【００５２】
１…筒体、２…容器本体、３…移動体、３ｃ…螺合突起（螺合部）、４…螺子筒、４ａ…雌螺子（螺合部）、６…キャップ、１０…モータユニット、１０ａ…筒体係合部（第２係合部）、１０ｂ…螺子筒係合部（第１係合部）、１０ｃ…端子（スイッチ）、１０ｊ…第１接触部（スイッチ）、１０ｋ…第２接触部（スイッチ）、１０ｆ…モータ、Ｍ…棒状化粧料。
【図１】
0005829475.tif 000002
【図２】
0005829475.tif 000003
【図３】
0005829475.tif 000004
【図４】
0005829475.tif 000005
【図５】
0005829475.tif 000006
【図６】
0005829475.tif 000007
【図７】
0005829475.tif 000008
【図８】
0005829475.tif 000009
【図９】
0005829475.tif 000010